(57)【要約】【課題】販売時には操作治具からグリップ部を外した状態でより小型な形態で陳列し得、使用時にはグリップ部を操作治具に簡単かつ強固に組み立て可能とする。【解決手段】粘着テープロールを回転可能に支持する操作治具１の操作軸３４側に、先端に傘状の係止爪５２２を有する挿入部５１を一体的に設けるとともに、グリップ部４の内部に、係止爪５２２の先端よりも大径で、係止爪５２２の裾部側の外径よりも小径の係止孔４５を設け、係止爪５２２を縮径方向に弾性変形させながら、挿入部５１をグリップ部４内に強制的に押し込み、係止爪５２２の裾部を係止孔４５の内縁を乗り越えさせて、操作軸３４にグリップ部４を強固に固定する。【選択図】図５
2016041219.tif 000002
【特許請求の範囲】
【請求項１】
表面にゴミ捕捉用の粘着面が形成された清掃ロールと、上記清掃ロールを被清掃面に沿って転がす操作治具とを含み、上記操作治具は、上記清掃ロールの支持ローラと、上記支持ローラを回転可能に支持するシャフト部とを備え、上記シャフト部は、上記支持ローラの一端側からその軸芯に挿通されるローラ支持軸と、上記ローラ支持軸に所定の折り曲げ部を介して連設され上記支持ローラの半径方向外側に向けて延在する操作軸とを含む１本の剛性を有する丸棒材からなり、上記操作軸に対して、筒状に形成されたグリップ部が取り付けられる粘着式清掃具において、
上記操作軸と上記グリップ部とを連結する継手部材を備え、上記継手部材は、上記操作軸側に設けられた雄メンバーと上記グリップ部側に設けられた雌メンバーとを含み、上記雄メンバーは、外径が上記グリップ部の内径とほぼ等しく、上記操作軸に一体的に固着された状態で上記グリップ部内に挿入される挿入部と、上記挿入部の先端に一体的に設けられた係止部とを備え、上記係止部には、傘状もしくは矢尻状の傾斜面を有し、その裾部側が縮径方向に弾性変形可能な複数の係止爪が設けられており、上記雌メンバーは、上記係止爪の自由状態における裾部側の外径よりも小径として上記グリップ部内に設けられた係止孔からなり、
上記係止爪の裾部側を縮径方向に弾性変形させながら上記係止爪を上記係止孔内に強制的に挿嵌し、上記係止爪の裾部が上記係止孔を乗り越えた時点で、上記裾部が復元して上記係止爪が上記係止孔の周縁部に係止されることを特徴とする粘着式清掃具。
【請求項２】
上記ローラ支持軸と上記操作軸との間には、上記ローラ支持軸の一端からほぼ直角に折り曲げられた第１中間軸と、上記第１中間軸の端部から上記支持ローラ側に向けてほぼ直角に折り曲げられた第２中間軸とが存在し、上記グリップ部の下端縁には、所定の位置で上記第２中間軸に係合する係合溝が設けられており、上記係合溝を上記第２中間軸に係合させた位置でのみ、上記係止爪の裾部が上記係止孔を乗り越えられる状態となることを特徴とする請求項１に記載の粘着式清掃具。
【請求項３】
上記挿入部は、中心に上記操作軸が圧入される嵌合孔を有する筒体からなり、上記筒体の周りには、その軸方向に沿って複数のリブが一体に形成されており、上記各リブの頂点を通る内接円が上記グリップ部の内径とほぼ等しいことを特徴とする請求項１または２に記載の粘着式清掃具。
【請求項４】
上記係止部は、上記挿入部の端部に一体的に立設された基部を有し、上記基部の頂部に上記複数の係止爪が舌片状に設けられていることを特徴とする請求項１ないし３のいずれか１項に記載の粘着式清掃具。
【請求項５】
上記係止部は、上記挿入部の先端部に一体的に立設された基部を有し、上記基部は上記挿入部の軸線方向に沿って切り込まれた割溝によって弾性変形可能な複数の基部片に分割されており、上記基部片の各々に上記係止爪が一体に形成されていることを特徴とする請求項１ないし３のいずれか１項に記載の粘着式清掃具。
【請求項６】
上記グリップ部に所定の連結手段を介して着脱可能に継ぎ足される延長シャフトを備えていることを特徴とする請求項１ないし５のいずれか１項に記載の粘着式清掃具。
【発明の詳細な説明】
【技術分野】
【０００１】
本発明は、粘着面が表側を向くように巻回された粘着テープロールを操作治具に取り付けて使用する粘着式清掃具に関し、さらに詳しく言えば、販売時には店舗等の陳列スペースにコンパクトな形態で陳列し得、使用時には簡単かつ強固に組み立てることができる粘着式清掃具に関する。
【背景技術】
【０００２】
粘着面が表側を向くように巻回された粘着テープロールを用いて床面等の被清掃面を清掃するにあたっては、例えば、特許文献１に記載されているように、粘着テープロールを操作治具（清掃具本体）に取り付けて、被清掃面上を転がすようにしている。
【０００３】
この種の操作治具は、粘着テープロールの巻芯に挿通される支持ローラと、支持ローラを回転可能に軸支するシャフト部と、手によって把持されるグリップ部とを備えている。
【０００４】
上記シャフト部は、支持ローラの一端側からその軸芯に挿通されるローラ支持軸と、ローラ支持軸に対してほぼ直角に折り曲げられた第１中間軸と、第１中間軸の端部から上記支持ローラ側に向けてローラ支持軸とほぼ平行に折り返された第２中間軸と、第２中間軸の端部から支持ローラの半径方向外側に向けてほぼ直角に折り曲げられた操作軸とを有する１本の剛性を有する金属の丸棒材からなり、操作軸に手によって把持されるグリップ部が取り付けられている。
【０００５】
グリップ部には、把持しやすい大径の合成樹脂製の円筒体が用いられるが、清掃時、グリップ部と操作軸との連結部分に大きな負荷がかかる。
【０００６】
そこで、従来では、グリップ部が操作軸から外れたり、操作軸に対して回転しないようにするため、グリップ部を操作軸に例えば圧入嵌め等により強固に連結するようにしている。
【０００７】
ところで、店頭で商品を陳列する場合、特に、コンビニエンスストア等の多品種を扱う小規模店舗では、その陳列スペースの制約上、小型な包装形態が求められる。
【０００８】
粘着テープロールによる粘着式清掃具も、日用品としてコンビニエンスストア等で扱われるが、スペアテープは別として、この種の粘着式清掃具は、粘着テープロールを操作治具（清掃具本体）に取り付けた状態で個装され陳列に供される。
【０００９】
しかしながら、上記のように、操作治具の操作軸には、グリップ部が一体的に連結されているため、その分、包装が嵩張り商品を陳列するうえで好ましくない。
【００１０】
この点を解決する一つの方法として、操作治具の操作軸に対して、グリップ部を着脱可能とすればよいのであるが、これによると、必要な連結強度が得られない、という別の問題が生ずる。また、別の方法として、グリップ部を短くする方法もあるが、これによると、グリップ部を把持しにくくなり操作性が損なわれる。
【先行技術文献】
【特許文献】
【００１１】
【特許文献１】特開２０１２−２２３３９８号公報
【発明の概要】
【発明が解決しようとする課題】
【００１２】
そこで、本発明の課題は、販売時には操作治具からグリップ部を外した状態で店舗等の陳列スペースにコンパクトな形態で陳列し得、使用時にはグリップ部を操作治具に簡単かつ強固に組み立てることができる粘着テープロールによる粘着式清掃具を提供することにある。
【課題を解決するための手段】
【００１３】
上述した課題を解決するため、本発明は、表面にゴミ捕捉用の粘着面が形成された清掃ロールと、上記清掃ロールを被清掃面に沿って転がす操作治具とを含み、上記操作治具は、上記清掃ロールの支持ローラと、上記支持ローラを回転可能に支持するシャフト部とを備え、上記シャフト部は、上記支持ローラの一端側からその軸芯に挿通されるローラ支持軸と、上記ローラ支持軸に所定の折り曲げ部を介して連設され上記支持ローラの半径方向外側に向けて延在する操作軸とを含む１本の剛性を有する丸棒材からなり、上記操作軸に対して、筒状に形成されたグリップ部が取り付けられる粘着式清掃具において、
上記操作軸と上記グリップ部とを連結する継手部材を備え、上記継手部材は、上記操作軸側に設けられた雄メンバーと上記グリップ部側に設けられた雌メンバーとを含み、上記雄メンバーは、外径が上記グリップ部の内径とほぼ等しく、上記操作軸に一体的に固着された状態で上記グリップ部内に挿入される挿入部と、上記挿入部の先端に一体的に設けられた係止部とを備え、上記係止部には、傘状もしくは矢尻状の傾斜面を有し、その裾部側が縮径方向に弾性変形可能な複数の係止爪が設けられており、上記雌メンバーは、上記係止爪の自由状態における裾部側の外径よりも小径として上記グリップ部内に設けられた係止孔からなり、上記係止爪の裾部側を縮径方向に弾性変形させながら上記係止爪を上記係止孔内に強制的に挿嵌し、上記係止爪の裾部が上記係止孔を乗り越えた時点で、上記裾部が復元して上記係止爪が上記係止孔の周縁部に係止されることを特徴としている。
【００１４】
本発明には、好ましい態様として、上記ローラ支持軸と上記操作軸との間には、上記ローラ支持軸の一端からほぼ直角に折り曲げられた第１中間軸と、上記第１中間軸の端部から上記支持ローラ側に向けてほぼ直角に折り曲げられた第２中間軸とが存在し、上記グリップ部の下端縁には、所定の位置で上記第２中間軸に係合する係合溝が設けられており、上記係合溝を上記第２中間軸に係合させた位置でのみ、上記係止爪の裾部が上記係止孔を乗り越えられる状態となる態様が含まれる。
【００１５】
また、本発明には、好ましい態様として、上記挿入部は、中心に上記操作軸が圧入される嵌合孔を有する筒体からなり、上記筒体の周りには、その軸方向に沿って複数のリブが一体に形成されており、上記各リブの頂点を通る内接円が上記グリップ部の内径とほぼ等しい態様も含まれる。
【００１６】
本発明において、上記係止部は、上記挿入部の端部に一体的に立設された基部を有し、上記基部の頂部に上記複数の係止爪が舌片状に設けられていることが好ましい。
【００１７】
別の態様として、上記係止部は、上記挿入部の先端部に一体的に立設された基部を有し、上記基部は上記挿入部の軸線方向に沿って切り込まれた割溝によって弾性変形可能な複数の基部片に分割されており、上記基部片の各々に上記係止爪が一体に形成されてもよく、この態様も本発明に含まれる。
【００１８】
上記グリップ部に所定の連結手段を介して着脱可能に継ぎ足される延長シャフトを備えている態様も本発明に含まれてよい。
【発明の効果】
【００１９】
本発明によれば、シャフト部の操作軸とグリップ部とを連結する雌雄嵌合による継手部材を備えていることにより、商品販売時には、グリップ部をシャフト部に取り付けず、よりコンパクトな包装形態で陳列に供することができ、また、使用時には、ユーザーによってグリップ部を継手部材を介して操作軸に簡単かつ強固に連結することができる。
【００２０】
また、グリップ部の下端縁に、所定の位置でシャフト部の第２中間軸に係合する係合溝を設け、係合溝を第２中間軸に係合させた位置でのみ、係止爪の裾部が係止孔を乗り越えられる状態となるようしたことにより、グリップ部を適正な回転位置（例えば、商標やメーカー名が付されている面をユーザーの目にとまりやすい上向きの位置）として操作軸に回転不能に連結することができる。
【図面の簡単な説明】
【００２１】
【図１】本発明の一実施形態に係る粘着式清掃具を粘着テープロールの部分を断面として示す正面図。
【図２】上記粘着式清掃具の操作治具を示す背面図。
【図３】上記操作治具の図２における右側面図。
【図４】上記操作治具の図２における左側面図。
【図５】上記操作治具の正面中央縦断面図。
【図６】上記操作治具のシャフト部を示す拡大正面図。
【図７】上記シャフト部に取り付けられる挿入部を示す（ａ）正面図，（ｂ）左側面図。
【図８】上記挿入部の変形例を示す正面図。
【図９】上記粘着式清掃具のグリップ部を示す（ａ）正面図，（ｂ）左側面図，（ｃ）正面図Ａ−Ａ線断面図。
【図１０】上記粘着式清掃具に用いられる延長シャフトを示す（ａ）正面図，（ｂ）正面図Ｂ−Ｂ線断面図。
【図１１】上記粘着式清掃具に用いられる延長グリップを示す（ａ）正面図，（ｂ）正面図Ｃ−Ｃ線断面図。
【図１２】上記延長シャフトおよび上記延長グリップを取り付けたロングタイプの使用状態を示す（ａ）正面図，（ｂ）その連結部分の拡大断面図。
【発明を実施するための形態】
【００２２】
次に、本発明の実施形態について図面を参照しながら説明するが、本発明はこれに限定されるものではない。
【００２３】
図１〜図４に示すように、この粘着式清掃具は、粘着面が外側を向くようにロール状に巻回されたゴミ捕捉用の粘着テープロール１０（図１にのみ例示）と、粘着テープロール１０を回転可能に保持して図示しない被清掃面上を転がす清掃具本体としての操作治具１とを備えている。
【００２４】
この実施形態において、粘着テープロール１０は、粘着テープの粘着面が表側を向くようにロールに巻回された清掃用の粘着テープロール１０であればよく、その具体的な仕様は特に限定されない。
【００２５】
本発明の特徴は、操作治具１にある。操作治具１は、粘着テープロール１０を支持する支持ローラ２と、支持ローラ２を回転可能に軸支するシャフト部３と、手によって把持されるグリップ部４とを備えている。
【００２６】
支持ローラ２は、合成樹脂の成型品からなり、全体が粘着テープロール１０の巻芯に沿って挿通可能な筒状に形成されている。
【００２７】
支持ローラ２の両端には、端板２２ａ，２２ｂが配置されている。粘着テープロール１０は、その一方の端板２２ｂ側から支持ローラ２に装着され、他方の端板２２ａの外周縁には、粘着テープロール１０の一方の端面（図１では左側）に当接する係止部２３が設けられている。この係止部２３によって、支持ローラ２に対する粘着テープロール１０の取り付け位置が規定される。
【００２８】
端板２２ｂには、粘着テープロール１０の他方の端面（図１では右側）に当接して粘着テープロール１０の抜けを防止するストッパー２４が設けられている。ストッパー２４は、端板２２ｂの外周面の一部から端板２２ｂとは離反する方向に延在する一対の弾性片２４１，２４１を備えている。
【００２９】
各弾性片２４１の自由端側の外周縁には、粘着テープロール１０の端面を支持する係止爪２４２が設けられている。係止爪２４２は、弾性片２４１の外周面からほぼ直角に突設された凸片であって、弾性片２４１と係止爪２４２との段差面で粘着テープロール１０の端面を受け止めることで、粘着テープロール１０の抜けを防止する。
【００３０】
図４を参照して、各弾性片２４１の先端の内径側には、係止爪２４２の係止状態をワンタッチ的な操作で解除するためのつまみ部２４３が設けられている。つまみ部２４３は、弾性片２４１の円周方向の両端から中心に向かってアーチ状に形成されており、中央に指を挿通するための挿通孔２４４が設けられている。
【００３１】
これによれば、挿通孔２４４に指を入れて、つまみ部２４３を互いに近接する方向に弾性変形させることにより、係止爪２４２が内径側に引き込まれ、粘着テープロール１０の端部への係止が解除され、粘着テープロール１０をスムーズに抜き取ることができる。
【００３２】
この実施形態において、支持ローラ２は、ストッパー２４を設けたものが用いられているが、支持ローラ２は、粘着テープロール１０の巻芯に沿って挿入され、粘着テープロール１０を、その軸線を中心に回転可能に支持することができれば、単なる円筒体であってもよい。
【００３３】
図５および図６を参照して、シャフト部３は、支持ローラ２の軸芯に挿通されるローラ支持軸３１と、ローラ支持軸３１の支持ローラ２から外れた一端からほぼ直角に折り曲げられた第１中間軸３２と、第１中間軸３２の端部から支持ローラ２側に向けてローラ支持軸３１とほぼ平行に折り返された第２中間軸３３と、第２中間軸３３の端部から支持ローラ２の半径方向外向きにほぼ直角に折り曲げられた操作軸３４とを備えている。
【００３４】
シャフト部３には、所定の剛性を有する１本の鋼線からなる丸棒材が好ましく用いられるが、これに限らず、合成樹脂製の丸棒材が採用されてもよい。なお、第１中間軸３２の軸方向長さＬ１は、第２中間軸３３が粘着テープロール１０の粘着面に接触することがないようにするため、未使用の粘着テープロール１０の最大半径よりも若干長い長さとする。
【００３５】
操作軸３４は、後述する継手部材５の雄メンバー５Ａを保持するに必要最低限な長さを備えていればよく、この実施形態では、その長さＬ２を４０ｍｍとしている。また、操作軸３４の外周面には、継手部材５の雄メンバー５Ａを圧入した際に、雄メンバー５Ａに食い込む例えばプレス加工によるリブ３５が、この実施形態では１８０゜間隔で２箇所に設けられている。
【００３６】
継手部材５は、操作軸３４側に設けられる雄メンバー５Ａと、グリップ部４側に設けられる雌メンバー５Ｂとからなるが、図７に示すように、継手部材５の雄メンバー５Ａは、操作軸３４に一体的に固定される挿入部５１と、挿入部５１の先端側に一体的に形成された係止部５２とを有し、それらが一体成型によって形成されている。
【００３７】
挿入部５１は、下端が開放され、内部に操作軸３４が圧入される固定孔５３を有する筒状であって、その外周面には、グリップ部４の内周面４１に沿って合致する複数のリブ部５４が設けられている。
【００３８】
この実施形態において、リブ部５４は、挿入部５１の外周面の上端から下端にかけて延在し、円周方向に９０°間隔で４箇所が配置されており、これら４箇所のリブ部５４の頂部同士を結んだ外接円が、グリップ部４の内周面４１の内径とほぼ同一となるように形成されている。なお、リブ部５４は少なくとも３箇所に設けられていればよい。また、リブ部５４を設けずに、挿入部５１の外形を角柱状や円柱状に形成して、内周面４１に直に密着させてもよい。
【００３９】
係止部５２は、挿入部５１の先端からほぼ垂直に立設された基部５２１と、基部５２１に一体的に形成された複数の係止爪５２２とを備えている。各係止爪５２２は、基部５２１の先端から挿入部５１側に向けて基部５２１から漸次離れる方向に広がる傘状の傾斜面を有する舌片状に形成されており、その自由端側（裾部側）が弾性変形する。
【００４０】
図７（ａ）に示すように、この実施形態では、基部５２１の先端から２つの係止爪５２２が互いに対向するようにハの字状に配置されているが、係止爪５２２は、基部５２１に対して３つ以上、好ましくは円周方向に等間隔で設けられてもよい。
【００４１】
なお、係止部５２の変形例として、図８に示すように、挿入部５１の先端に立設される基部５２１を、その軸線方向に沿って切り込まれる割溝５２４によって複数（この変形例では２つ）に分割して弾性変形可能な基部片５２１ａとし、その各々に矢尻状の係止爪５２２を一体に形成するようにしてもよい。実際には、全周にわたって矢尻状をなす係止爪５２２が形成された基部５２１を割溝５２４によって複数に分割する。
【００４２】
次に、図９（ａ）〜（ｃ）を参照して、グリップ部４は、内部が中空な円筒状に形成されており、その下端には、挿入部５１が差し込まれる開口部４２が設けられている。開口部４２の一部には、挿入部５１の挿入方向を規定するためのガイド溝（係合溝）４３が設けられている。
【００４３】
ガイド溝４３は、開口部４２の端縁からグリップ部４の軸線方向に沿って形成された切欠溝であって、図５に示すように、グリップ部４をシャフト部３に取り付ける際に、ガイド溝４３をシャフト部３の第２中間軸３３に嵌合させる。
【００４４】
図９（ｃ）に示すように、グリップ部４の内周面４１には、内向きフランジ部４４が設けられており、内向きフランジ部４４の中央には、係止部５２が係止される継手部材５の雌メンバー５Ｂとしての係止孔４５が同軸的に形成されている。係止孔４５は、係止部５２の基部５２１の先端の外径よりも大径で、かつ、自由状態における各係止爪５２２の裾部を含む外径よりも小径な孔である。
【００４５】
これによれば、操作軸３４に固定されている挿入部５１をグリップ部４の開口部４２に差し込んで、係止部５２を係止孔４５内に強制的に押し込むことにより、係止部５２の各係止爪５２２が徐々に縮径しながら係止孔４５内に入り、係止孔４５を乗り越えた時点で、弾性復元力によって各係止爪５２２の裾部が広がることにより、シャフト部３とグリップ部４とが解離不能に一体的に係止され、短尺のハンディタイプの清掃具本体が完成する。
【００４６】
したがって、商品の販売陳列時には、シャフト部３からグリップ部４を外して、その包装形態をよりコンパクトにしたとしても、使用時には、ユーザー側にて簡単な差し込み操作によりグリップ部４をシャフト部３に強固に取り付けることができる。
【００４７】
なお、上記のような係止状態が得られるのは、上記ガイド溝４３をシャフト部３の第２中間軸３３に嵌合させた特定位置のみのときであり、これ以外のガイド溝４３を第２中間軸３３に嵌合させない位置では、各係止爪５２２の裾部が係止孔４５を乗り越えられないようになっている。
【００４８】
これにより、グリップ部４を適正な回転位置（例えば、商標やメーカー名が付されている面をユーザーの目にとまりやすい上向きの位置）として操作軸３４に回転不能に連結することができる。
【００４９】
この実施形態において、グリップ部４の他端側（図９では上端）には、グリップ部４の内部に連通する第２の開口部４６が設けられており、そこに操作治具１を柄の長いロングタイプとして使用する延長シャフトを所定の連結手段を介して接続することができる。
【００５０】
図１０を参照して、延長シャフト６は、グリップ部４とほぼ同径で、それよりも長尺な円筒体からなり、そのには、グリップ部４に対する連結挿入部６１が設けられている。
【００５１】
連結挿入部６１は、延長シャフト６の外径よりも小径な円筒状に形成されており、グリップ部４の内周面４１に沿って挿入する、いわゆる入れ子式のジョイント部である。連結挿入部６１の一部には、コ字状に切りかかれた切欠溝６２によって囲まれたストッパー片６３が設けられている。
【００５２】
ストッパー片６３は、連結挿入部６１の軸線方向に沿って平行に延在する弾性変形可能な舌片であって、その自由端側（図１０において下端側）には係止凸部６４が設けられている。
【００５３】
係止凸部６４は、自由状態で連結挿入部６１の外周面よりも外側に突出しており、連結挿入部６１をシャフト部４の中に挿入した際に、シャフト部４に設けられている係止孔４７と係合する。
【００５４】
この実施形態では、上記連結挿入部６１を有する同一構成の延長シャフト６を複数本備え、各延長シャフト６の上端側には、別の延長シャフト６の連結挿入部６１が差し込まれる開口部６５と、その連結挿入部６１の係止凸部６４が係止される係止孔６６とが設けられている。
【００５５】
これによれば、複数本の延長シャフト６を連続して繋ぎ合わせることにより、立ち姿勢で粘着テープロール１０を床面やカーペット等の被清掃面上を転がすのに必要な長さの柄を得ることができる。なお、延長シャフト６の長さは任意に決められてよいが、例えば、３０〜４５ｃｍ程度が適当である。
【００５６】
このようにして延長シャフト６を用いる場合、最上段の延長シャフト６の上端には、図１１に示す終端部材としての延長グリップ７が取り付けられる。
【００５７】
延長グリップ７は、延長シャフト６とほぼ同径で、かつ、好ましくはグリップ部４とほぼ同じ外観形状を有する円筒体からなり、その下端には、延長シャフト６の上端開口部６５内に差し込まれる連結挿入部７１が設けられている。
【００５８】
連結挿入部７１は、延長シャフト６の連結挿入部６１と同じく、延長シャフト６側の係止孔６６を相手方とする係止凸部７４を有するストッパー片７３を備えている。また、延長グリップ７の上端は、エンドキャップ７５によって閉塞されており、その下方の所定位置には、操作治具１を図示しないフック等に引っ掛けて吊り下げるための吊下孔７６が設けられている。
【００５９】
図１２に、操作治具１のグリップ部４に、例えば２本の延長シャフト６ａ、６ｂを連結したのち、その上段側の延長シャフト６ｂの上端に、延長グリップ７を差し込んで取り付けて、操作治具１を立ち姿勢で使用する柄の長いロングタイプとした例を示す。
【００６０】
なお、係止凸部６４（延長グリップ７では係止凸部７４）を指で押して係止孔４７，６６から外すことにより、グリップ部４と延長シャフト６間、延長シャフト６，６間、延長シャフト６と延長グリップ７間の連結を容易に解除することができる。
【００６１】
この実施形態において、粘着式清掃具１は、粘着テープロール１０を清掃ロールとして用いる場合について説明したが、表面にゴミ捕捉用の粘着面が形成された清掃ロールであれば、これ以外の態様であってもよい。すなわち、ローラの表面にシリコン樹脂やウレタン樹脂などからなる粘着層を設け、表面が汚れたら水洗いすることで粘着面が再生する清掃ロールが用いられても良い。さらには、ロール表面にミクロ吸盤を有し、ミクロ吸盤によってゴミを吸着除去する清掃ロールが用いられても良い。
【００６２】
以上説明したように、本発明によれば、商品の陳列時に嵩張らないようにするため、シャフト部３からグリップ４を取り外し、よりコンパクトな包装形態で販売したとしても、ユーザー側において、簡単な作業にて、グリップ部４のみによる柄の短いハンディタイプと、グリップ部４に延長シャフト６を継ぎ足して柄を長くしたロングタイプとを適宜選択して使用することができる。
【符号の説明】
【００６３】
１  操作治具（清掃具本体）
２  支持ローラ
３  シャフト部
３１  ローラ支持軸
３２  第１中間軸
３３  第２中間軸
３４  操作軸
４  グリップ部
４１  内周面
４２  開口部
４３  係止溝
４４  内向きフランジ部
４５  係止孔
５  継手手段
５Ａ  雄メンバー
５Ｂ  雌メンバー
５１  挿入部
５２  係止部
５２２  係止爪
６  延長シャフト
７  延長グリップ
【図１】
2016041219.tif 000003
【図２】
2016041219.tif 000004
【図３】
2016041219.tif 000005
【図４】
2016041219.tif 000006
【図５】
2016041219.tif 000007
【図６】
2016041219.tif 000008
【図７】
2016041219.tif 000009
【図８】
2016041219.tif 000010
【図９】
2016041219.tif 000011
【図１０】
2016041219.tif 000012
【図１１】
2016041219.tif 000013
【図１２】
2016041219.tif 000014